(57)【要約】  デュアルビューディスプレイシステム（１０２）は、システム（１０２）に対する第一の場所に位置している第一のユーザに第一のメニューを含んだ第一の画像を表示し、システム（１０２）に対する第二の場所に位置している第二のユーザに第二のメニューを含んだ第二の画像を表示するように適応されたデュアルビュータッチスクリーンディスプレイ（１０４）を含む。デュアルビューディスプレイシステム（１０２）は更に、第二のユーザのデュアルビュータッチスクリーンディスプレイ（１０４）への近接さに対する第一のユーザのデュアルビュータッチスクリーンディスプレイ（１０４）への近接さを検出するように適応された少なくとも１つのセンサー（１０６、１０８）を含む。メニュー選択ロジック（４０２）は、第二のユーザのデュアルビュータッチスクリーンディスプレイ（１０４）への近接さに対する第一のユーザのデュアルビュータッチスクリーンディスプレイ（１０４）への近接さに基づいて、受け取ったユーザタッチコマンドを第一のメニューからの選択としてまたは第二のメニューからの選択として同定する。
2012503818.tif 000002
【特許請求の範囲】
【請求項１】
デュアルビューディスプレイシステム（１０２）に対する第一の場所に位置している第一のユーザに第一のメニューを含んだ第一の画像を表示し、デュアルビューディスプレイシステム（１０２）に対する第二の場所に位置している第二のユーザに第二のメニューを含んだ第二の画像を表示するように適応されたデュアルビュータッチスクリーンディスプレイ（１０４）と、
第一のユーザと第二のユーザの少なくとも１人のデュアルビュータッチスクリーンディスプレイ（１０４）への近接さを検出するように適応された少なくとも１つのセンサー（１０６、１０８）と、
前記少なくとも１つのセンサーによって検出された近接さに少なくとも部分的に依存して、受け取ったメニューコマンドを第一のメニューからの選択としてまたは第二のメニューからの選択として同定するように適応されたメニュー選択ロジック（４０２）と、
を含むデュアルビューディスプレイシステム（１０２）。
【請求項２】
少なくとも１つのセンサー（１０６、１０８）は、第一の近接さを検出するための第一の近接検出フィールド（２０２）を提供する第一の近接センサー（１０６）と、第二の近接さを検出するための第二の近接検出フィールド（２０４）を提供する第二の近接センサー（１０８）を含み、前記メニュー選択ロジックは、前記第一および第二の近接さに少なくとも部分的に依存して、受け取ったメニューコマンドを第一のメニューからの選択としてまたは第二のメニューからの選択として同定するように適応されている、請求項１記載のデュアルビューディスプレイシステム（１０２）。
【請求項３】
少なくとも１つのセンサー（１０６、１０８）は可変キャパシター（３０４）を含む、請求項１記載のデュアルビューディスプレイシステム（１０２）。
【請求項４】
少なくとも１つのセンサー（１０６、１０８）はインダクティブセンサーを含む、請求項１記載のデュアルビューディスプレイシステム（１０２）。
【請求項５】
少なくとも１つのセンサー（１０６、１０８）は赤外線センサーを含む、請求項１記載のデュアルビューディスプレイシステム（１０２）。
【請求項６】
少なくとも１つのセンサー（１０６、１０８）は光学センサーを含む、請求項１記載のデュアルビューディスプレイシステム（１０２）。
【請求項７】
第一の画像は地図ビューを含む、請求項１記載のデュアルビューディスプレイシステム（１０２）。
【請求項８】
第二の画像は映画を含む、請求項１記載のデュアルビューディスプレイシステム（１０２）。
【請求項９】
デュアルビューディスプレイシステム（１０２）に対する第一の場所に位置している第一のユーザに第一のメニューを含んだ第一の画像を表示し、デュアルビューディスプレイシステム（１０２）に対する第二の場所に位置している第二のユーザに第二のメニューを含んだ第二の画像を表示するように適応されたデュアルビューディスプレイシステム（１０２）を操作する方法（５００）であって、
デュアルビューディスプレイシステム（１０２）のタッチスクリーン（１０４）を介してメニュー入力コマンドを受け取ることと、
第二のユーザのデュアルビューディスプレイシステム（１０２）への近接さに対する第一のユーザのデュアルビューディスプレイシステム（１０２）への近接さに少なくとも部分的に依存して、メニュー入力コマンドが第一のメニューに向けられているか第二のメニューに向けられているかを決定することと、
前記決定するステップに少なくとも部分的に依存してメニュー入力コマンドに応答することと、
を含む方法。
【請求項１０】
決定するステップは、第一の近接センサー（１０６）の出力を第二の近接センサー（１０８）の出力と比較することを含む、請求項９記載の方法（５００）。
【請求項１１】
第一の近接センサー（１０６）と第二の近接センサー（１０８）の各々は可変キャパシター（３０４）を含む、請求項１０記載の方法（５００）。
【請求項１２】
第一の近接センサー（１０６）と第二の近接センサー（１０８）の各々はインダクティブセンサーを含む、請求項１１記載の方法（５００）。
【請求項１３】
第一の近接センサー（１０６）と第二の近接センサー（１０８）の各々は赤外線センサーを含む、請求項１１記載の方法（５００）。
【請求項１４】
第一の近接センサー（１０６）と第二の近接センサー（１０８）の各々は光学センサーを含む、請求項１１記載の方法（５００）。
【請求項１５】
第一の画像は地図ビューを含む、請求項９記載の方法（５００）。
【請求項１６】
第二の画像は映画を含む、請求項９記載の方法（５００）。
【請求項１７】
デュアルビューディスプレイシステム（１０２）に対する第一の場所に位置している第一のユーザに第一のメニューを含んだ第一の画像を表示し、デュアルビューディスプレイシステム（１０２）に対する第二の場所に位置している第二のユーザに第二のメニューを含んだ第二の画像を表示するように適応されたデュアルビュータッチスクリーンディスプレイ（１０４）と、
第一の近接検出フィールド（２０２）を提供している第一の近接センサー（１０６）であって、第一の近接センサー（１０６）は第一のユーザが第一の近接検出フィールド（２０２）に遭遇した時に第一のメニューがアクティブであることの指標を提供しいているものと、
第二の近接検出フィールド（２０４）を提供している第二の近接センサー（１０８）であって、第二の近接センサー（１０８）は第二のユーザが第二の近接検出フィールド（２０４）に遭遇した時に第二のメニューがアクティブであることの指標を提供しいているものと、
もし第一の近接センサー（１０６）が第一のメニューがアクティブであることの指標を提供すれば受け取ったメニューコマンドを第一のメニューからの選択として同定し、もし第二の近接センサー（１０８）が第二のメニューがアクティブであることの指標を提供すれば受け取ったメニューコマンドを第二のメニューからの選択として同定するように適応されたメニュー選択ロジック（４０２）と、
を含むデュアルビューディスプレイシステム（１０２）。
【請求項１８】
第一の近接センサー（１０６）と第二の近接センサー（１０８）の各々は可変キャパシター（３０４）を含む、請求項１７記載のデュアルビューディスプレイシステム（１０２）。
【請求項１９】
第一の近接センサー（１０６）と第二の近接センサー（１０８）の各々はインダクティブセンサーを含む、請求項１７記載のデュアルビューディスプレイシステム（１０２）。
【請求項２０】
第一の近接センサー（１０６）と第二の近接センサー（１０８）の各々は赤外線センサーを含む、請求項１７記載のデュアルビューディスプレイシステム（１０２）。
【請求項２１】
第一の近接センサー（１０６）と第二の近接センサー（１０８）の各々は光学センサーを含む、請求項１７記載のデュアルビューディスプレイシステム（１０２）。
【請求項２２】
第一の画像は地図ビューを含む、請求項１７記載のデュアルビューディスプレイシステム（１０２）。
【請求項２３】
第二の画像は映画を含む、請求項１７記載のデュアルビューディスプレイシステム（１０２）。
【請求項２４】
システム（１０２）に対する第一の場所に位置している第一のユーザに第一のメニューを含んだ第一の画像を、システム（１０２）に対する第二の場所に位置している第二のユーザに第二のメニューを含んだ第二の画像を表示するように適応されたデュアルビュータッチスクリーンディスプレイシステム（１０２）において、タッチスクリーンディスプレイ（１０４）へのユーザタッチ入力が向けられていることころのメニューを決定する方法であって、
タッチスクリーンディスプレイ（１０４）を介して第一および第二のユーザの１人からのタッチ入力を受け取ることと、
前記第一および第二のユーザの１人のタッチスクリーンディスプレイ（１０４）への近接さを検出することと、
前記検出するステップに少なくとも部分的に依存して、タッチ入力が第一のユーザからか第二のユーザからかを決定することと、
前記決定するステップに少なくとも部分的に依存して、タッチ入力を第一および第二のメニューの起動された方に相関させることと、
を含む方法。
【請求項２５】
前記相関させるステップに少なくとも部分的に依存して、タッチ入力に対応する前記第一および第二のメニューの起動された方のコマンドを実行するステップを更に含む、請求項２４の方法。
【発明の詳細な説明】
【技術分野】
【０００１】
本発明は、全体的に電子的ディスプレイシステムに関する。特に本発明は、デュアルビュータッチスクリーンディスプレイシステムおよび操作の方法に関する。
【背景技術】
【０００２】
このセクションは、以下で記載されおよび／または請求される本発明の様々な側面に関連し得る技術の様々な側面に読者を紹介することが意図されている。この説明は、本発明の様々な側面のより良い理解を容易にするための背景情報を読者に提供するのに有益であると信じられている。従って、これらの言明は、従来技術の承認としてではなく、この観点で読まれるべきものであることが理解されるべきである。
【０００３】
いくつかの現在利用可能なディスプレイシステムは、そこからスクリーンが見られているところの方向に依存して異なる情報を同時に表示することが可能である。例えば、そのようなディスプレイシステムの自動車用実装は、第一のアプリケーションを介してドライバーに地図ビューを提供する一方で、同時に第二のアプリケーションを介して搭乗者にＤＶＤ映画のようなビデオ出力を提供し得る。もし両方のアプリケーションがタッチスクリーン入力を要求すれば、潜在的な問題は、与えられた時間にメニュー選択をするためにどのビューアがスクリーンをタッチしているのかを同定することである。どのユーザがタッチスクリーンメニューオプションを起動しているのかを同定する方法が無ければ、ディスプレイシステムには、タッチスクリーンコマンドに応答するように適当なアプリケーション（地図または映画）に指示するやり方が無い。この問題は、もしディスプレイ上のタッチスクリーンメニューオプションが両方のアプリケーションについて同じ物理的位置を有していれば、特に尖鋭である。
【発明の概要】
【０００４】
デュアルビューディスプレイシステムが提供される。例示的デュアルビューディスプレイシステムは、デュアルビューディスプレイシステムに対する第一の場所に位置している第一のユーザに第一のメニューを含んだ第一の画像を表示し、デュアルビューディスプレイシステムに対する第二の場所に位置している第二のユーザに第二のメニューを含んだ第二の画像を表示するように適応されたデュアルビュータッチスクリーンディスプレイからなる。デュアルビューディスプレイシステムは更に、第二のユーザのデュアルビュータッチスクリーンディスプレイへの近接さに対する第一のユーザのデュアルビュータッチスクリーンディスプレイへの近接さを検出するように適応された少なくとも１つのセンサーと、第二のユーザのデュアルビュータッチスクリーンディスプレイへの近接さに対する第一のユーザのデュアルビュータッチスクリーンディスプレイへの近接さに基づいて、受け取ったメニューコマンドを第一のメニューからの選択としてまたは第二のメニューからの選択として同定するように適応されたメニュー選択ロジックと、からなる。
【０００５】
本発明の上述したおよびその他の特徴と利点とそれらを達成するやり方は、添付の図面との関係で発明の一実施形態の以下の記載を参照することによって明らかとなりより良く理解されるであろう。
【０００６】
対応する参照符号はいくつかの図を通して対応する部分を指し示す。ここに説明される例示は発明の好ましい実施形態を一つの形で描写するが、そのような例示は発明の範囲をいかなるやり方でも限定していると解釈されるべきものではない。
【図面の簡単な説明】
【０００７】
【図１】図１は、本発明の例示的実施形態に従ったデュアルビュータッチスクリーンディスプレイシステムの正面図である。
【図２】図２は、本発明の例示的実施形態に従ったデュアルビュータッチスクリーンディスプレイシステムの上面図である。
【図３】図３は、本発明の例示的実施形態に従った近接感知回路の概略図である。
【図４】図４は、本発明の例示的実施形態に従ったデュアルビュータッチスクリーンディスプレイシステムの機能ブロック図である。
【図５】図５は、本発明の例示的実施形態に従った方法を示しているプロセスフロー図である。
【図６】図６は、本発明の例示的実施形態に従った、メニュー入力コマンドが向けられているところのアプリケーションを同定する方法を示しているプロセスフロー図である。
【発明を実施するための形態】
【０００８】
本発明の１つ以上の特定の実施形態が以下に記載される。それらの実施形態の簡潔な記載を提供するための努力として、実際の実装の全ての特徴が明細書中に記載されるわけではない。あらゆるエンジニアリングまたはデザインプロジェクトにおいてのように、あらゆるそのような実際の実装を開発する際には、一つの実装から別のもので変動し得る、システム関連のおよびビジネス関連の制約との整合のような、開発者の特定のゴールを達成するために、数々の実装特定の決定がなされても良いことが認識されるべきである。しかも、そのような開発努力は複雑で時間のかかるものであるかもしれないが、それにも拘わらずこの開示の恩恵を有する当業者にとってはデザイン、作製および製造のルーティン作業であろうことが認識されるべきである。
【０００９】
図１は、本発明の例示的実施形態に従ったデュアルビュータッチスクリーンディスプレイシステムの正面図である。正面図は全体的に参照番号１００によって参照される。デュアルビュータッチスクリーンディスプレイシステム１０２は、そこからスクリーンが見られているところの方向に依存して複数のビューを提示するように適応されている。自動車用応用では、デュアルビュータッチスクリーンディスプレイシステム１０２は、第一のユーザ（ドライバー）が地図アプリケーションのような第一のアプリケーションによって提供されるディスプレイを見るように、位置付けされていても良い。デュアルビュータッチスクリーンディスプレイシステム１０２は、第二のアプリケーションからの第二のディスプレイを第二のユーザ（搭乗者）に提示しても良い。１つの例では、ドライバーが地図アプリケーションを見ているのと同時に、搭乗者がＤＶＤアプリケーションからの映画を見ても良い。
【００１０】
デュアルビュータッチスクリーンディスプレイシステム１０２は、タッチスクリーン１０４を含む。タッチスクリーン１０４は、ユーザがスクリーンにタッチするところに依存してメニュー選択の形の入力をどちらかのユーザが提供することを許容する。例えば、地図アプリケーションは、タッチスクリーン１０４上でドライバーによって見られている現在の地図ディスプレイと関係のあるメニューオプションを時々表示しても良い。ドライバーは、望ましいメニューコマンドに対応する位置においてタッチスクリーン１０４にタッチすることによって入力を提供しても良い。加えて、ＤＶＤアプリケーションは、タッチスクリーン１０４上で搭乗者によって見られている現在のディスプレイに関係のあるメニューオプションを提示しても良い。搭乗者は、望ましいメニューコマンドに対応する位置においてタッチスクリーン１０４をタッチすることによって入力を提供しても良い。
【００１１】
本発明の例示的実施形態は、第一のアプリケーションのためのメニュー選択エリアの物理的位置が第二のアプリケーションのためのメニュー選択エリアと物理的に重複していたとしても、第一のアプリケーションにタッチすることによる応答またはユーザ入力を第二のアプリケーションにタッチすることによる応答またはユーザ入力から区別するように適応されている。そのようにすることで、本発明の例示的実施形態は、デュアルビューディスプレイシステムの第二のビューアがシステムの第一のビューアによって見られているディスプレイに影響を与えるであろうメニューコマンドを誤って入力することを防止する。これを達成するために、デュアルビュータッチスクリーンディスプレイシステム１０２は、第一の近接センサー１０６と第二の近接センサー１０８を含む。以下で十分に説明されるように、第一の近接センサー１０６と第二の近接センサー１０８は、第一のユーザのデュアルビュータッチスクリーンディスプレイへの近接さと第二のユーザのデュアルビュータッチスクリーンディスプレイへの近接さを検出し、与えられたメニューコマンドの入力が意図されているかまたは向けられているところのアプリケーションを同定するために近接情報を使うように適応されている。
【００１２】
図２は、本発明の例示的実施形態に従ったデュアルビュータッチスクリーンディスプレイシステム１０２の上面図である。図２に示されるように、第一の近接センサー１０６は第一の近接検出フィールド２０２を提供する。同様に、第二の近接センサー１０８は第二の近接検出フィールド２０４を提供する。第一のユーザがメニュー選択をするためにタッチスクリーン１０４に届こうとする時に、第一のユーザの手が第一の近接検出フィールド２０２を通過する。以下に説明されるように、第一の近接センサーは、第一のユーザの手が第一の近接検出フィールド２０２に遭遇する時に第一のユーザの手がタッチスクリーン１０４に近接していることを指し示す信号を生成するように適応されている。同様に、第二の近接センサー１０８は、第二のユーザの手が第二の近接検出フィールド２０４を通過する時に第二のユーザがタッチスクリーン１０４に近接していることを指し示す信号を生成するように適応されている。
【００１３】
図３は、本発明の例示的実施形態に従った近接感知回路の概略図である。近接感知回路は全体的に参照番号３００によって参照される。本発明の例示的実施形態では、近接感知回路３００の複製が、第一の近接センサー１０６と第二の近接センサー１０８として使われる。近接感知回路３００は、発振器または方形波生成器（図示せず）の出力のような入力信号３０２を受け取るように適応されている。例示的近接感知回路３００は、ユーザがそれに近接している時にそのキャパシタンスが値を変化させる可変キャパシター３０４を含む。可変キャパシター３０４は、比較器３０６に１つの入力として接続されている。参照電圧が比較器３０６へのもう１つの入力として提供されている。
【００１４】
例示的近接感知回路３００では、入力信号３０２と差動増幅器３０６の出力が、排他的ＯＲゲート３０８への入力として配送される。排他的ＯＲゲート３０８は、ユーザが可変キャパシター３０４に近接しているかどうかを示す出力電圧信号３１０を提供する。しかも、出力電圧信号３１０の大きさは、ユーザの手が近接感知回路３００の近接検出フィールド中にあるかどうかに少なくとも部分的に依存して変動する。
【００１５】
図３にはキャパシティブ近接センサーが描かれているが、その他のタイプの近接センサーの使用も本発明の範囲内であることを当業者は認識するであろう。例として、インダクタンス、赤外線信号、光学的信号等に基づいて動作する近接センサーが使われても良い。特定のセンサータイプの選択は、システムデザイン考慮に基づいて当業者によってなされても良い。
【００１６】
図４は、本発明の例示的実施形態に従ったデュアルビュータッチスクリーンディスプレイシステムの機能ブロック図である。ブロック図は全体的に参照番号４００によって参照される。デュアルビュータッチスクリーンディスプレイシステム４００は、第一の近接センサー１０６と第二の近接センサー１０８のための機能ブロックを含む。第一の近接センサー１０６と第二の近接センサー１０８の各々は、対応するそれぞれの例示的近接感知回路３００を含む。デュアルビュータッチスクリーンディスプレイシステム４００は更に、タッチスクリーン１０４のための機能ブロックを含む。１０６と１０８の各々が３００を含む。加えて、デュアルビュータッチスクリーンディスプレイシステム４００は、近接センサー１０６と第二の近接センサー１０８からの入力を受け取るように適応されたメニュー選択ロジックブロック４０２を含む。この入力に基づいて、メニュー選択ロジック４０２は、メニューコマンドの選択またはタッチスクリーン１０４へのタッチ入力が、第一のアプリケーションあるいは第一のビューまたはユーザと関連付けられているメニューに適用されることが意図されているか、第二のアプリケーションあるいは第二のビューまたはユーザと関連付けられているメニューに適用されることが意図されているか、を決定する。メニュー選択ロジックブロック４０２は、ハードウェアエレメンツ（回路を含んだ）、ソフトウェアエレメンツ（機械読み取り可能な媒体上に格納されたコンピューターコードを含んだ）、またはハードウェアおよびソフトウェアエレメンツ両方の組み合わせからなっていても良いことを当業者は認識するであろう。
【００１７】
図５は、本発明の例示的実施形態に従った方法を示しているプロセスフロー図である。方法は全体的に参照番号５００によって参照される。ブロック５０２において、方法が始まる。ブロック５０４において、タッチスクリーン１０４のＸ座標方向（即ち、典型的なＸ−Ｙ座標システムでの水平方向）と関連付けられている電圧が、メニュー選択ロジックブロック４０２によって読み出される。判断ブロック５０６において、タッチスクリーン１０４がユーザによってタッチされていることをブロック５０４において読み出された電圧が指し示すかどうかについての決定がなされる。もしタッチスクリーン１０４がタッチされていることを電圧が指し示さなければ、プロセスフローはブロック５０４に戻る。
【００１８】
もしタッチスクリーンがタッチされていることを電圧が指し示せば、ブロック５０８に示されるように、Ｙ方向でのタッチスクリーン１０４上の位置を示す電圧が読み出される。メニュー選択ロジックブロック４０２は、Ｘ方向とＹ方向での電圧読み出し値に基づいてタッチスクリーン１０４上の位置を決定することができることを当業者は認識するであろう。ブロック５１０において、タッチスクリーン１０４がタッチされている位置に対応するＸ−Ｙ座標が推定される。
【００１９】
ブロック５１２において、メニュー選択ロジックブロックは、タッチ入力が、第一のディスプレイと関連付けられた第一のメニューの第一のメニューアイテムに対応する選択またはコマンドであることが意図されているか、第二のディスプレイと関連付けられた第二のメニューの第二のメニューアイテムに対応する選択またはコマンドであることが意図されているかを決定する。言い換えると、メニュー選択ロジックブロック４０２は、２つのディスプレイアプリケーションまたはメニューのどちらにタッチ入力コマンドが向けられているかを決定する。メニューまたはタッチ入力コマンドが向けられている正しいアプリケーションまたはメニューの決定についての追加の詳細は、図６について以下で説明される。しかも、図６は、与えられたメニューコマンドが向けられているアプリケーションを同定するために第一の近接センサー１０６と第二の近接センサー１０８からの入力データを採用するプロセスを描いている。
【００２０】
ブロック５１４において、メニュー選択ロジックブロック４０２は、ブロック５１０において推定されたＸ−Ｙ座標を適当なメニューコマンドに相関させる。言い換えると、メニュー選択ロジックブロック４０２は、正しいアプリケーションについてどのメニューコマンドが入力されたのかを決定する。ブロック５１６において、メニュー選択ロジックブロック４０２は、適当なメニューコマンドに従って働く。プロセスフローはそれからブロック５０２に戻る。
【００２１】
図６は、本発明の例示的実施形態に従った、メニュー入力コマンドが向けられているところのアプリケーションを同定する方法を示しているプロセスフロー図である。プロセスは全体的に参照番号６００によって参照される。プロセス６００は、それによってデュアルビュータッチスクリーンディスプレイシステム中のタッチスクリーンコマンドが、２人のユーザによって見られている２つの異なるビューイングアプリケーションの１つに適用されることが決定されるところの１つの例示的実施形態を示す。しかも、プロセス６００は、図５のブロック５１２において示されるように、どのメニューがアクセスされているかおよび／または起動されているかを決定する１つの例示的な方法である。
【００２２】
ブロック６０２において、プロセスが始まる。発振器がブロック６０４において動作可能にされる。本発明の例示的実施形態では、発振器は、第一の近接センサー１０６（図１）と第二の近接センサー１０８（図１）のための入力信号３０２（図３）を生成する。ブロック６０６において、メニュー選択ロジックブロック４０２は、第一のユーザの近接さに対応する第一の近接センサー１０６の出力を測定する。ブロック６０８において、メニュー選択ロジックブロック４０２は、第二のユーザの近接さに対応する第二の近接センサー１０８の出力を測定する。ブロック６１０において、発振器は動作不能にされる。
【００２３】
判断ブロック６１２において、メニュー選択ロジックブロック４０２は、特定のタッチ入力またはメニューコマンドが受け取られた時にどちらのユーザがタッチスクリーン１０４に近接している可能性が高いかを決定する。本発明の例示的実施形態では、この決定は、第一の近接センサー１０６から測定された電圧を第二の近接センサー１０８から測定された電圧と比較することによってなされる。もし第一の近接センサー１０６からの電圧がより大きければ、ブロック６１４において示されるように、メニュー選択ロジックブロック４０２は、受け取られたタッチ入力が第一のユーザ（例えば、ドライバー）によって発信されたかまたは入力されたことを決定する。もし第一の近接センサー１０６から測定された電圧が、第二の近接センサー１０８によって測定された電圧よりも大きくなければ、ブロック６１６において示されるように、メニュー選択ロジックブロック４０２は、受け取られたタッチ入力またはメニュー入力が第二のユーザ（例えば、搭乗者）によって発信されたかまたは入力されたことを決定する。
【００２４】
ここに説明されたように、本発明の例示的実施形態は、第一の位置からディスプレイを見ている第一のユーザからのユーザ入力と第二の位置からディスプレイを見ている第二のユーザによって生成されたユーザ入力の間を差別化することができるデュアルビュータッチスクリーンディスプレイシステムからなる。そのようなシステムは有利なことに、様々なアプリケーションからのタッチスクリーンメニューが、タッチスクリーンメニューアイテムの物理的位置が代替ビューにおいて視認可能であるかもしれないメニューアイテムの位置と重複しているかどうかに関わらずにデザインされることを許容する。
【００２５】
発明は、様々な変形や代替形に受け入れることができても良い一方で、特定の実施形態が例として図面に示されて、ここで詳細に記載される。しかしながら、発明は開示された特定の形に限定されることを意図されていないことが理解されるべきである。むしろ、発明は、以下の添付の請求項によって規定される発明の精神と範囲内に入る全ての変形、等価形および代替形をカバーするものである。
【図１】
2012503818.tif 000003
【図２】
2012503818.tif 000004
【図３】
2012503818.tif 000005
【図４】
2012503818.tif 000006
【図５】
2012503818.tif 000007
【図６】
2012503818.tif 000008
【国際調査報告】
2012503818.tif 000009